(57)【要約】【課題】複数枚の替刃を手に触れることなく必要に応じて一枚ずつ取り出して使用することができる替刃ケースを簡単な構造で提供すること。【解決手段】複数枚の替刃３…を上下に積層して収納するカッターナイフ用の替刃ケースＡであって、該替刃ケースＡは上面が開口した平面視長方形のケース本体１と、該ケース本体１に嵌合された蓋体２と、収納された替刃３…を常時蓋体側に向かって押し上げる弾性部材４と、最上段の替刃３を取り出すために替刃ケースＡの一側壁上端部に設けられた替刃取出口５と、最上段の替刃３を前記替刃取出口５に押し出すスライダー６とから成り、該スライダー６は蓋体上壁面に長さ方向に沿って設けられた長穴２ａから上方に突出する操作部６ａと最上段の替刃３の奥端に係合する係合突起６ｂとを備え、前記操作部６ａを長穴２ａに沿ってスライドさせることにより最上段の替刃３を前記取出口５から押し出す構成。【選択図】　　　　図１
2004033490.tif 000002
【特許請求の範囲】
【請求項１】
複数枚の替刃（３）…を上下に積層して収納するカッターナイフ用の替刃ケース（Ａ）であって、該替刃ケース（Ａ）は上面が開口した平面視長方形のケース本体（１）と、該ケース本体（１）に嵌合された蓋体（２）と、収納された替刃（３）…を常時蓋体側に向かって押し上げる弾性部材（４）と、最上段の替刃（３）を取り出すために替刃ケース（Ａ）の一側壁上端部に設けられた替刃取出口（５）と、最上段の替刃（３）を前記替刃取出口（５）に押し出すスライダー（６）とから成り、該スライダー（６）は蓋体上壁面に長さ方向に沿って設けられた長穴（２ａ）から上方に突出する操作部（６ａ）と最上段の替刃（３）の奥端に係合する係合突起（６ｂ）とを備え、前記操作部（６ａ）を長穴（２ａ）に沿ってスライドさせることにより最上段の替刃（３）を前記取出口（５）から押し出すことができるように形成されているカッターナイフの替刃ケース。
【発明の詳細な説明】
【０００１】
【発明が属する技術分野】
本発明は、替刃式のカッターナイフの替刃を収納して一枚ずつケースから突き出させて使用する替刃ケースに関するものである。
【０００２】
【従来の技術】
一般に、替刃式カッターナイフの替刃は、複数枚を束ねて蝋紙等により包装された状態で市販されている。しかし、この従来のものでは、一枚の替刃を取り出すのに包装を解いて一枚だけを素手でつかんで取り出し、残りの替刃を再び包装しておかなければならないので、替刃の取り出し作業が面倒であるというばかりではなく、替刃を素手でつかむため危険であり、しかも、取り出した替刃を再び素手でつかんでカッターホルダーに装着させなければならないので、大変危険であった。
【０００３】
【発明が解決しようとする課題】
そこで本発明は、複数枚の替刃を裸のまま収納して、必要に応じ一枚ずつ素手で触れることなく取り出して使用することができる、替刃ケースを簡潔な機構で低コストで提供することを主たる目的とするものである。
【０００４】
【課題を解決するための手段】
上記目的を達成するために本発明では次のような技術的手段を講じた。即ち本発明に係る替刃ケースにあっては、複数枚の替刃３…を上下に積層して収納するカッターナイフ用の替刃ケースＡであって、該替刃ケースＡは上面が開口した平面視長方形のケース本体１と、該ケース本体１に嵌合された蓋体２と、収納された替刃３…を常時蓋体側に向かって押し上げる弾性部材４と、最上段の替刃３を取り出すために替刃ケースＡの一側壁上端部に設けられた替刃取出口５と、最上段の替刃３を前記替刃取出口５に押し出すスライダー６とから成り、該スライダー６は蓋体上壁面に長さ方向に沿って設けられた長穴２ａから上方に突出する操作部６ａと最上段の替刃３の奥端に係合する係合突起６ｂとを備え、前記操作部６ａを長穴２ａに沿ってスライドさせることにより最上段の替刃３を前記取出口５から押し出すことができるように形成されている構造とした。
【０００５】
前記替刃ケースＡに収納される替刃３…はその刃先部分が取出口５とは反対側の奥部に位置するように収納するようにしてある。この場合、積層された替刃３…を揃えるために、替刃３の先端の傾斜面に当接するストッパー１ｂがケース本体１の内部に形成されている。
【０００６】
また、本発明では、指向性のある複数の係合爪２ｃを蓋体２の下縁から下方に向かって延出させてケース本体１に設けた係合穴１ａに内面から弾性係合させることにより蓋体２をケース本体１に嵌合するように形成してある。この場合、前記係合穴１ａをケース本体１の外面に向かって貫通させてある。内部に収納させてある替刃は、押し上げ弾性部材４によって最後の一枚まで、確実に押し出すことができるようにしてあるが、蓋体を取り外さなければならない事情が生じた場合は、係合穴１ａの外部からボールペン等の先端で係合爪２ｃの先端を解除方向にプッシュすることにより、係合爪２ｃと係合穴１ａとの係合を外して開蓋できるようになっている。
【０００７】
前記弾性部材４は実施例で示した板バネの他にコイルバネやスポンジ等のクッション材等で形成することができる。
【０００８】
【発明の実施の形態】
以下本発明の実施例について図面に基づいて説明する。
図１乃至図４は、本発明にかかる替刃ケースの代表的な実施例を示すものであって、符号Ａで内部に複数枚、例えば２０枚とか３０枚、あるいは５０枚とかの替刃３…を上下に積層して収納させてある替刃ケースを示す。該替刃ケースＡは上面が開口した平面視長方形のケース本体１と、該ケース本体１に着脱自在に嵌合された蓋体２と、収納された替刃３…を常時上方に押し上げる板バネ等の弾性部材４と、最上段の替刃３を取り出すために替刃ケースＡの一側壁上端部に設けられた替刃取出口５と、最上段の替刃３を前記替刃取出口５に押し出すスライダー６とから構成されている。前記ケース本体１、蓋体２並びにスライダー６は合成樹脂によって成形されている。
【０００９】
前記スライダー６は蓋体上壁面に長さ方向に沿って設けられた長穴２ａから上方に突出する操作部６ａと最上段の替刃３の内端に係合する係合突起６ｂとを備え、前記操作部６ａを長穴２ａに沿ってスライドさせることにより最上段の替刃３を前記取出口５から押し出すことができるように形成されている。
【００１０】
前記替刃ケースＡに収納される替刃３…はその刃先部分が取出口５とは反対側の奥部に位置するように収納される。積層された替刃３…を揃えるために、替刃３の先端の傾斜面に当接するストッパー１ｂがケース本体１の内部に形成されている。
【００１１】
蓋体１をケース本体１に着脱自在に嵌合させる手段として本実施例では、指向性のある複数の係合爪２ｃを蓋体２の下縁から下方に向かって延出させてケース本体１に設けた係合穴１ａに内面から弾性係合させてある。前記係合穴１ａはケース本体１の外面に向かって貫通されている。これによりケース本体１に対して蓋体２を押し付けるだけで極めて管端に閉蓋することができるようになっている。したがって、ケース内への替刃の収容包装が効率よく迅速にできる利点がある。
【００１２】
上記の如く構成された替刃ケースＡに収納された替刃３を取り出すときは、図２並びに図４の状態から、スライダー６の操作部６ａを指先で押出し方向にスライドさせることにより図３に示すように最上段の替刃３を取出口５から押し出すことができる。この場合、替刃３…はその刃先部分が取出口５とは反対側の奥部に位置するように収納されているため、替刃３は後端側から取り出され、鋭突な刃先によって指先等が傷つけられることがない。またこのように替刃３を後端側から取り出すことにより、例えば図５に示すように、替刃３をカッターナイフの先端側から挿入して取り付ける形式のカッターナイフＢには替刃に触れることなく直接カッターナイフに移し替えることができ、極めて安全で簡単にカッターナイフの替刃交換ができる利点がある。
【００１３】
以上本発明の代表的な実施例について説明したが、本発明は必ずしも上記の実施例構造のみに特定されるものではない。例えば前記弾性部材４は、実施例で示した板バネの他に図６に示したようなスポンジ等のクッション材で形成してもよく、また図７に示したようなコイルバネで形成することもできる。この図７に示した実施例の場合はコイルバネを受ける受板７を替刃３との間に配置させてもよい。その他本発明ではその構成要件を備え、且つ効果を有する範囲内で適宜変更して実施できることは勿論である。
【００１４】
【発明の効果】
本発明の替刃ケースは、上記の如く構成したものであるから、複数枚の替刃を裸の積層状態で安全に収納できるとともに、必要に応じてスライダーを摺動させることにより、手に触れることなく替刃を一枚ずつ後端側から取り出して使用することができるので、替刃に直接触れて多層状の中から一枚づつを取り出す場合に比して、極めて安全であり、かつ、迅速に取り出すことができるといった優れた効果がある。
【図面の簡単な説明】
【図１】本発明に係る替刃ケースの一実施例を示す分解斜視図。
【図２】上記替刃ケースの斜視図。
【図３】上記替刃ケースの使用状態を示す斜視図。
【図４】上記替刃ケースの使用状態を示す断面図。
【図５】上記替刃ケースの使用例を示す斜視図。
【図６】上記替刃ケースにおける弾性部材の他の実施例を示す断面図。
【図７】上記替刃ケースにおける弾性部材の更に別の実施例を示す断面図。
【符号の説明】
Ａ　替刃ケース
１　ケース本体
２　蓋体
２ａ　長穴
３　替刃
４　弾性部材
５　取出口
６　スライダー
６ａ　操作部
６ｂ　係合突起
【図１】
2004033490.tif 000003
【図２】
2004033490.tif 000004
【図３】
2004033490.tif 000005
【図４】
2004033490.tif 000006
【図５】
2004033490.tif 000007
【図６】
2004033490.tif 000008
【図７】
2004033490.tif 000009